【手続補正書】
【提出日】平成18年8月25日(2006.8.25)
【手続補正１】
【補正対象書類名】明細書
【補正対象項目名】特許請求の範囲
【補正方法】変更
【補正の内容】
【特許請求の範囲】
【請求項１】  循環支持を提供するためのカニューレ挿入アセンブリであって、該カニューレ挿入アセンブリは、以下：
第一流路であって、ポンプと、患者の循環系内の第一所定位置との間で、血液を運搬するためにある、第一流路；および
第二流路であって、ポンプと、患者の循環系内の第二所定位置との間で、血液を運搬するためにある、第二流路、
を含み、
ここで、該第一および第二流路は、互いに滑り連結されており、そして使用中、該患者の血管系に形成された単一切開部を通って、該各第一および第二所定位置へと伸長するような寸法にされている、
カニューレ挿入アセンブリ。
【請求項２】  前記第一および第二流路が、略同軸配列で配置されており、該第二流路が、少なくとも部分的に、該第一流路内に配置されている、請求項１に記載のカニューレ挿入アセンブリ。
【請求項３】  前記第一および第二流路が、略並列配列で、共に連結されている、請求項１に記載のカニューレ挿入アセンブリ。
【請求項４】  前記第一および第二流路の少なくとも１本が、補助管腔を備えている、請求項１に記載のカニューレ挿入アセンブリ。
【請求項５】  前記補助管腔が、ガイドワイヤ、圧力センサおよび光学機器の少なくとも１個を受容するような大きさにされている、請求項４に記載のカニューレ挿入アセンブリ。
【請求項６】  前記第一および第二流路の少なくとも１本が、膨張可能案内構造体を備えている、請求項１に記載のカニューレ挿入アセンブリ。
【請求項７】  前記第一流路が、前記ポンプに血液を取り入れ、そして前記第二流路が、該ポンプから血液を出す、請求項１に記載のカニューレ挿入アセンブリ。
【請求項８】  前記第一流路が、前記ポンプから血液を出し、そして前記第二流路が、該ポンプに血液を取り入れる、請求項１に記載のカニューレ挿入アセンブリ。
【請求項９】  前記第一および第二流路の少なくとも１本が、流速センサ、圧力センサおよび光学センサの少なくとも１個を備えている、請求項１に記載のカニューレ挿入アセンブリ。
【請求項１０】  前記第一および第二流路の少なくとも１本が、補助流体流れ管腔を備えている、請求項１に記載のカニューレ挿入アセンブリ。
【請求項１１】  前記第一および第二流路の少なくとも１本が、屈曲部を備えており、該屈曲部が、前記循環系内の前記各第一または第二所定位置に該流路を向けるためにある、請求項１に記載のカニューレ挿入アセンブリ。
【請求項１２】  前記第一および第二流路の少なくとも１本が、一定の材料部分を有し、該材料が、前記循環系内の前記各第一または第二所定位置に該流路を案内し易くするために、選択的に変形して該流路に屈曲部を作製できる、請求項１に記載のカニューレ挿入アセンブリ。
【請求項１３】  前記第一および第二流路の少なくとも１本が、複数の開口部を有し、該開口部が、該各第一または第二流路へのまたはそこからの流体流れを促進するためにある、請求項１に記載のカニューレ挿入アセンブリ。
【請求項１４】  前記第一流路が、複数の排液開口部を有し、該排液開口部が、該第一流路を通る流体流れを促進するためにある、請求項２に記載のカニューレ挿入アセンブリ。
【請求項１５】  前記第二流路が、狭領域を有し、該狭領域が、使用中、前記第一流路の前記排液開口部とほぼ隣接して配置されている、請求項１４に記載のカニューレ挿入アセンブリ。
【請求項１６】  前記第二流路が、広領域を有し、該広領域が、使用中、前記第一流路の前記排液開口部とほぼ隣接して配置されている、請求項１４に記載のカニューレ挿入アセンブリ。
【請求項１７】  カニューレ挿入アセンブリであって、該カニューレ挿入アセンブリは、以下：
第一流路であって、該第一流路は、第二流路と滑り連結されており、該第一および第二流路が、単一切開部を通って患者の血管系に導入され得、そして該患者の循環系内の各第一および第二所定位置に配置され得る、第一流路、
を備える、カニューレ挿入アセンブリ。
【請求項１８】  前記第一および第二流路の少なくとも１本が、前記患者の前記血管系に挿入した後、前記切開部に対して独立して位置づけ可能である、請求項１７に記載のカニューレ挿入アセンブリ。
【請求項１９】  前記第一および第二流路の少なくとも１本が、該第一流路の遠位末端と該第二流路の遠位末端との間の距離にあり、該距離が、該第一および第二流路の一方を他方に対して選択的に滑らせることにより、選択的に調整され得る、請求項１７に記載のカニューレ挿入アセンブリ。
【請求項２０】  前記第一および第二流路が、使用中、該第二流路の遠位末端が該第一流路の遠位末端から一定距離で位置するように、構成されている、請求項１７に記載のカニューレ挿入アセンブリ。
【請求項２１】  前記第一および第二流路が、略同軸配列で配置されており、該第二流路が、少なくとも部分的に、該第一流路内に配置されている、請求項１７に記載のカニューレ挿入アセンブリ。
【請求項２２】  前記第一および第二流路が、略並列配列で、共に連結されている、請求項１７に記載のカニューレ挿入アセンブリ。
【請求項２３】  前記第一および第二流路の少なくとも１本が、補助管腔を備えている、請求項１７に記載のカニューレ挿入アセンブリ。
【請求項２４】  前記補助管腔が、ガイドワイヤ、圧力センサおよび光学機器の少なくとも１個を受容するような大きさにされている、請求項１７に記載のカニューレ挿入アセンブリ。
【請求項２５】  前記第一および第二流路の少なくとも１本が、膨張可能案内構造体を備えている、請求項１７に記載のカニューレ挿入アセンブリ。
【請求項２６】  前記第一流路が、前記ポンプに血液を取り入れ、そして前記第二流路が、該ポンプから血液を出す、請求項１７に記載のカニューレ挿入アセンブリ。
【請求項２７】  前記第一流路が、前記ポンプから血液を出し、そして前記第二流路が、該ポンプに血液を取り入れる、請求項１７に記載のカニューレ挿入アセンブリ。
【請求項２８】  前記第一および第二流路の少なくとも１本が、流速センサ、圧力センサおよび光学センサの少なくとも１個を備えている、請求項１７に記載のカニューレ挿入アセンブリ。
【請求項２９】  前記第一および第二流路の少なくとも１本が、補助流体流れ管腔を備えている、請求項１７に記載のカニューレ挿入アセンブリ。
【請求項３０】  前記第一および第二流路の少なくとも１本が、屈曲部を備えており、該屈曲部が、前記血管系内の前記各第一または第二所定位置に該流路を向けるためにある、請求項１７に記載のカニューレ挿入アセンブリ。
【請求項３１】  前記第一および第二流路の少なくとも１本が、一定の材料部分を有し、該材料が、前記血管系内の前記各第一または第二所定位置に該流路を案内し易くするために、選択的に変形して該流路に屈曲部を作製できる、請求項１７に記載のカニューレ挿入アセンブリ。
【請求項３２】  前記第一および第二流路の少なくとも１本が、複数の開口部を有し、該開口部が、該各第一または第二流路へのまたはそこからの流体流れを促進するためにある、請求項１７に記載のカニューレ挿入アセンブリ。
【請求項３３】  前記第一流路が、複数の排液開口部を有し、該排液開口部が、該第一流路を通る流体流れを促進するためにある、請求項２１に記載のカニューレ挿入アセンブリ。
【請求項３４】  前記第二流路が、狭領域を有し、該狭領域が、使用中、前記第一流路の前記排液開口部とほぼ隣接して配置されている、請求項３３に記載のカニューレ挿入アセンブリ。
【請求項３５】  前記第二流路が、広領域を有し、該広領域が、使用中、前記第一流路の前記排液開口部とほぼ隣接して配置されている、請求項３３に記載のカニューレ挿入アセンブリ。
【請求項３６】  循環支持を提供するためのキットであって、該キットは、以下：
患者の循環系内の第一所定位置から、血液を引き出すための手段；および
該引き出した血液を、該患者の該循環系内の第二所定位置に戻すための手段、
を備え、
ここで、該引き出しおよび該戻しは、第二流路に滑り連結された第一流路を有するカニューレを提供することにより、実行され、ここで、該第一および第二流路は、使用中、該患者の該血管系に形成された単一切開部を通って、それぞれ、該第一および第二所定位置へと伸長するような寸法にされている、キット。
【請求項３７】  患者にカニューレアセンブリを挿入するためのキットであって、該キットは、以下：
該患者の血管系に、単一切開部を形成するための手段；
第二流路に滑り連結された第一流路を有するカニューレアセンブリ；
該第一流路の遠位末端を、該切開部を通して、該患者の循環系内の第一所定位置へと前進させるための手段；および
該第二流路の遠位末端を、該切開部を通して、該患者の循環系内の第二所定位置へと前進させるための手段、
を備える、キット。
【請求項３８】  カニューレシステムを通して流体を循環させるためのキットであって、該カニューレシステムは、カニューレ挿入アセンブリを含み、該カニューレ挿入アセンブリは、互いに滑り連結された少なくとも２本の流路を有し、該キットは、以下：
（１）該カニューレ挿入アセンブリを、血管切開部を通して、体内の第一所定位置に挿入するための手段；
（２）該流路の第一のものと該第一所定位置との間で、流れ連絡を確立するための手段；
（３）該流路の第二のものを、該第一所定位置から間隔を置いた第二所定位置に滑り移動するための手段；
（４）該第二流路と該第二所定位置との間で、流れ連絡を確立するための手段；
（５）該第一および第二流路をポンプシステムと連結するための手段；および
（６）該ポンプシステムを操作して、導入用の該第一所定位置から該第二所定位置へと、流体を運搬するための手段、
を備える、キット。